(57)【要約】キャラクタ・ディスプレイ（１０、２００、５００）は、行（ＲＷ）と列（ＣＬ）に配置した５９セグメント（１１１〜１７９）を備える。２８セグメントは、ディスプレイ（１０、２００、５００）の周縁（ＲＰ）を画定し、１１の付加的なセグメント（１１５〜１７５、１４１〜１４９）は、４つの象限（Ｑ）を画定するデバイダを画定し、５つの付加的なセグメント（１２２〜１３４、１２６〜１３８、１５２〜１６４、１５６〜１６８）は、象限の対角線を画定するために、４つの象限（Ｑ）のそれぞれに配設される。キャラクタ・ディスプレイ（１０、２００、５００）は、電気的機能性糸（ＦＹ）を含む編布式製品（２００、５００、５１０、５２０、５３０）で具体化することができる。アドレス指定信号（ＳＩＧＮＡＬ）は、ディスプレイ（１０、２００、５００、５１０、５２０、５３０）を選択的に駆動するために、機能性糸（ＦＹ）のアドレス指定可能デバイス（Ｕ１、Ｕ２、Ｕ３）をアドレス指定するように、編布式製品（２００、５００、５１０、５２０、５３０）の導電性糸（２４０、２４２、２４４、５４０、５４２、５４４、５４６、５４８）を介して印加することができる。
2007508572.tif 000002
【特許請求の範囲】
【請求項１】
行と列に配置した５９セグメントを有するキャラクタを表示するディスプレイであって、
ほぼ矩形のキャラクタ・ディスプレイの周縁を画定する２８セグメントを備え、前記２８セグメントは、前記ほぼ矩形の周縁の各角に配設された１つのセグメントを含み、５つ以上の付加的なセグメントの４つのグループはそれぞれ、各辺を画定するように配設され、
前記ほぼ矩形のキャラクタ・ディスプレイを分割して、４つの象限を画定する交差デバイダを画定するように配設される１１の付加的なセグメントを備え、前記１１の付加的なセグメントのうちの１つのセグメントは、前記ほぼ矩形のキャラクタ・ディスプレイ内のほぼ中心に配設され、前記１１の付加的なセグメントのうちの１０の他のセグメントは、前記１１の付加的なセグメントの前記１つのほぼ中心に配設されたセグメントから前記ほぼ矩形のキャラクタ・ディスプレイの前記各辺に延びるように配置され、
前記４つの象限のそれぞれの中に配設された５つのセグメントを備え、各象限は、ほぼ中心に位置するセグメントおよび前記中心セグメントから各象限の前記４つの角のそれぞれに向かって対角線方向に延びる４つのセグメントを含むディスプレイ。
【請求項２】
ある数のキャラクタを表示するための製品で具体化されるディスプレイであって、各キャラクタは、複数の行と複数の列で配置されたセグメントを有し、前記キャラクタ・ディスプレイは、
ある数のキャラクタを備え、それぞれのキャラクタは、
前記製品内に互いにほぼ平行に編まれ、前記ディスプレイの数Ｍの列を画定する複数の機能性糸を備え、前記複数の機能性糸のそれぞれは、前記ディスプレイの数Ｎの行を画定する複数のディスプレイ素子を前記それぞれの機能性糸の上に含み、前記ディスプレイ素子は、前記ディスプレイの前記セグメントを画定し、ＭとＮは正の整数であり、
前記複数の機能性糸のそれぞれの１つは、アドレス指定信号を受け取り、前記アドレス指定信号に応答して、前記複数の機能性糸の前記１つの、前記複数のディスプレイ素子の１つの素子を選択的に駆動するための、アドレス指定可能ラッチ式ドライバを前記１つの機能性糸の上にさらに備え、それぞれのキャラクタはさらに
前記キャラクタの隣接するキャラクタ間で、前記隣接するキャラクタ間に間隔を画定するために、前記複数の機能性糸に平行に前記編布式製品内に編み込まれた複数の絶縁性糸と、
前記複数の機能性糸を横切る方向に前記編布式製品内に編み込まれた複数の絶縁性糸と、
前記複数の機能性糸を横切る方向に前記編布式製品内に編み込まれた複数の導電性糸とを備え、
前記導電性糸の１つは、前記複数の機能性糸に電力を印加するために、前記複数の機能性糸との交差部において前記複数の機能性糸に接触し、
前記導電性糸の別の導電性糸は、前記複数の機能性糸の上の前記アドレス指定可能ラッチ式ドライバをアドレス指定するために、前記別の導電性糸との交差部において前記複数の機能性糸に接触するディスプレイ。
【請求項３】
ディスプレイの前記列のそれぞれは、布内に編まれた少なくとも１つの機能性糸を備え、各機能性糸は、前記キャラクタ・ディスプレイの前記行に対応する複数の発光セグメントを前記各機能性糸の上に含む請求項１または２に記載のディスプレイ。
【請求項４】
列を画定する機能性糸の数は、１、２、３、およびそれらの組み合わせであり、セグメントを画定するディスプレイ素子の数は、０、１、２、３、４、およびそれらの組み合わせである請求項３に記載のディスプレイ。
【請求項５】
前記セグメントは９つの列で配置され、第１、第５、および第９列はそれぞれ、布内に編まれた２つの機能性糸を備え、第２、第４、第６および第８列はそれぞれ、布内に編まれた３つの機能性糸を備え、第３および第７列はそれぞれ、布内に編まれた１つの機能性糸を備える請求項１または２に記載のディスプレイ。
【請求項６】
編布式製品で具体化されるディスプレイであって、
編布式製品を画定するために編み込まれた複数の糸と、
前記編布式製品のたて糸とよこ糸の一方において、互いに隣接して前記編布式製品内に編み込まれた複数の電気的機能性糸とを備え、前記複数の電気的機能性糸の隣接する糸のグループは、複数の隣接するキャラクタを画定し、
前記各電気的機能性糸は、
導電体を上に有し、前記導電体の１つの導体に接続する複数の電気接点
を有する細長い電子基板、
前記電子基板に沿って配設される複数のディスプレイ素子および、
前記基板上に配置され、前記電気接点に印加される電力および電気制御信号に応答して、前記複数のディスプレイ素子を制御可能に駆動するために、前記導電体を介して前記電気接点および前記複数のディスプレイ素子に接続されるアドレス指定可能電子デバイスとを含み、前記ディスプレイがさらに
前記複数の電気的機能性糸を横切る方向に前記編布式製品内に編み込まれた複数の導電性糸であって、前記複数の導電性糸のある糸は、前記複数の電気的機能性糸の前記電気接点の少なくとも２つの上からその少なくとも２つの電気接点に、それぞれ電気接触する導電性糸と、
前記複数の電気的機能性糸を横切る方向で、かつ、前記導電性糸のある糸の間で、前記編布式製品内に編み込まれた絶縁性糸であって、それによって、前記導電性糸の前記ある糸は、互いに絶縁される、絶縁性糸と、
第１の前記複数の導電性糸であって、前記第１の前記複数の導電性糸に接続され、それによって、電力が、前記第１の導電性糸を介して、前記複数の電気的機能性糸のそれぞれの前記アドレス指定可能電子デバイスに印加される、電力源を受け取るための第１の前記複数の導電性糸と、
前記電気的機能性糸の前記複数のディスプレイ素子のうちの選択されたディスプレイ素子を制御可能に駆動するために、前記アドレス指定可能電子デバイスをアドレス指定するための電気制御信号を受け取るための第２の前記複数の導電性糸とを備え、
それによって、電力および電気制御信号は、前記アドレス指定可能電子デバイスに印加される前記電気制御信号に応答して、前記複数のディスプレイ素子のある素子を制御可能に駆動するために、前記複数の電気的機能性糸に印加することができるディスプレイ。
【請求項７】
アドレス指定可能キャラクタを画定する前記電気的機能性糸の前記アドレス指定可能電子デバイスは、同じアドレスを有し、前記アドレスは、任意の他のアドレス指定可能キャラクタを画定する前記電気的機能性糸の前記アドレスと異なり、それによって、それぞれのアドレス指定可能キャラクタは、１つのアドレスでアドレス指定され、あるいは
前記隣接するキャラクタのそれぞれは、１つまたは複数の隣接する機能性糸の複数の列グループを含み、列グループを画定する前記電気的機能性糸の前記アドレス指定可能電子デバイスは、同じアドレスを有し、前記アドレスは、任意の他の列グループを画定する前記電気的機能性糸の前記アドレスと異なり、それによって、それぞれのアドレス指定可能キャラクタは、列ブループの数と同じ数のある数のアドレスによってアドレス指定される請求項６に記載のディスプレイ。
【請求項８】
前記アドレス指定可能電子デバイスの前記アドレスは、（ａ）前記アドレス指定可能電子デバイスが前記基板上に載る前か、（ｂ）前記アドレス指定可能電子デバイスが前記基板上に載った後のいずれかにおいて決定され、
前記アドレス指定可能電子デバイスの前記アドレスが、前記アドレス指定可能電子デバイスが前記基板上に載った後に決定される場合、（ａ）前記電気的機能性糸が前記編布式製品内に編まれる前に前記アドレスが決定されるか、または、（ｂ）前記電気的機能性糸が前記編布式製品内に編まれた後に前記アドレスが決定される請求項６に記載のディスプレイ。
【請求項９】
編布式製品で具体化される前記ディスプレイが配設される共通基板と、
前記共通基板上に配設された、請求項２または６に記載の編布式製品で具体化される少なくとも１つの付加的なディスプレイと、
前記共通基板の複数の導電体であって、前記共通基板の複数の導電体に電力および電気アドレス指定信号を結合するために、前記編布式製品のそれぞれの前記複数の導電性糸の前記それぞれの導電性糸に結合される前記共通基板の複数の導電体とをさらに備える請求項２または６に記載のディスプレイ。
【請求項１０】
編布式製品内に編まれた複数の機能性糸を有する、編布式製品で具体化されるディスプレイを提供する方法であって、各機能性糸は、アドレス指定可能デバイスおよび複数のディスプレイ素子を含み、前記アドレス指定可能デバイスはあるアドレスを有し、前記複数のディスプレイ素子の駆動を選択的に制御するために、そのアドレスを含むアドレス指定可能信号に応答し、
前記方法は、
前記アドレス指定可能デバイスおよび複数のディスプレイ素子を含む機能性糸を設けること、
前記機能性糸を、所定の位置または順序で編んで、前記編布式製品にすること、および、
前記編布式製品内の各機能性糸の位置または順序に関する各機能性糸の前記アドレス指定可能デバイスの前記アドレスのリストまたはテーブルであって、そこから、アドレス指定信号を生成することができる、リストまたはテーブルを設けることを含み、
各機能性糸の前記アドレス指定可能デバイスの前記アドレスは、前記機能性糸を前記編んで、前記編布式製品にする時点で知られておらず、前記編んだ後に、方法は、前記編布式製品における、各機能性糸の前記アドレスおよび位置または順序を決定すること、および、前記決定されたアドレスおよび位置または順序を前記アドレスのリストまたはテーブルに記憶することをさらに含み、あるいは
各機能性糸の前記アドレス指定可能デバイスの前記アドレスは、前記機能性糸を前記編んで前記編布式製品にする時点で知られており、前記編布式製品内の各機能性糸の位置または順序に関する各機能性糸の前記アドレス指定可能デバイスの前記アドレスのリストまたはテーブルを前記設けることは、前記機能性糸が、前記編布式製品内に編まれる順序で、前記アドレスのリストまたはテーブルに各機能性糸の前記アドレス指定可能デバイスの前記アドレスを記録することを含み、あるいは、
各機能性糸の前記アドレス指定可能デバイスの前記アドレスは、プログラム可能であるが、前記機能性糸を前記編んで、前記編布式製品にする時点でプログラムされず、前記編布式製品内の各機能性糸の位置または順序に関する各機能性糸の前記アドレス指定可能デバイスの前記アドレスのリストまたはテーブルを前記設けることは、前記編布式製品内の各機能性糸の位置または順序に関する所定のアドレスのリストまたはテーブルを設けることを含み、前記編んだ後に、方法は、前記編布式製品内の位置または順序に関する前記所定のアドレスのリストまたはテーブルに従って、各機能性糸の前記アドレス指定可能デバイスの前記アドレスをプログラムすることをさらに含み、
それによって、前記アドレスのリストまたはテーブルは、特定の機能性糸の前記複数のディスプレイ素子の駆動を選択的に制御するために、前記特定の機能性糸の前記アドレス指定可能デバイスの前記アドレスを含むアドレス指定信号を生成するのに使用することができる方法。
【発明の詳細な説明】
【技術分野】
【０００１】
本発明は、ディスプレイに関し、特に、キャラクタ・ディスプレイに関する。
【背景技術】
【０００２】
軍事からスポーツ、アパレルまでの多くの分野の試みにおいて、布内に、また、布で作ることができる製品内に組み込まれる電子回路に対する要望が存在する。電気毛布および導電性布などの一部の例では、所望の抵抗加熱および／または導電率特性を提供するために、電気抵抗性、および／または、導電性ワイヤが、絶縁性糸と共に布内に編まれている。これらの比較的簡単な機構では、抵抗性加熱用糸の特性が、編布式電気毛布の加熱特性を決定し、導電性糸の導電率が、布の導電率特性を実質的に決める。換言すれば、導電性糸の数およびサイズが、布の導電率を決定する。
【０００３】
上述の比較的簡単な機構とは別に、より複雑な電気的機能が望まれている場合には、布が編まれた後に電気回路が布に付加されてきた。手法の中には、たとえば、「Method of Manufacturing a Fabric Article to Include Electronic Circuitry and an Electrically Active Textile Article」という名称のB. Farrell他の米国特許公開第ＵＳ２００２／００７６９４８号に記載されるように、布に対する電気回路基板の積層、ならびに、たとえば、「Electrically Active Textiles and Articles Made Therefrom」という名称のE. R. Post他に対する米国特許第６，２１０，７７１号、および、IBM Systems Journal, Volume 39, Numbers 3＆4, pp. 840-860, 2000に公表された「E-Broidery: Design and Fabrication of Textile-Based Computing」という名称のE. R. Post他による論文に記載されるように、布上の導電体および電気回路の刺繍および／またはアップリケがある。さらに、部品を導電性糸に接続することによる、はんだ付けによる、かつ／または、導電性接着剤によるなどの、導電性糸を含む、電気部品を編布に取り付ける機構は、「Fabric or Garment With Integrated Flexible Information Infrastructure」という名称のJayaramanに対する米国特許第６，３８１，４８２号に記載される。
【０００４】
上述した機構では、たとえば、刺繍によるか、アップリケによるか、または、機械的取り付けによって、布が編まれた後に、電気的または電子的機能が付加され、それによって、製造プロセスに対して付加的な工程および付加的な複雑さが増す。さらに、特定の機構は、対応する特定の製造によって１つの特定のアプリケーションまたは使用に適するように見え、布が編まれた、すなわち、製造された後まで、結果として得られる布の機能および動作が指定されるか、または、決定される必要がない、効率的で比較的一般的な製造に役立つように見えない。
【特許文献１】米国特許公開第ＵＳ２００２／００７６９４８号
【特許文献２】米国特許第６，２１０，７７１号
【非特許文献１】IBM Systems Journal, Volume 39, Numbers 3&4, pp. 840-860，2000に公表された「E-Broidery: Design and Fabrication of Textile-Based Computing」という名称のE. R. Post他による論文
【特許文献３】米国特許第６，３８１，４８２号
【特許文献４】米国特許公開第２００４／０００９７２９号（米国特許出願第１０／３６６，４４１号）
【特許文献５】ＰＣＴ公開第ＷＯ０３／０９４７１９Ａ１号
【発明の開示】
【発明が解決しようとする課題】
【０００５】
独特のキャラクタ・ディスプレイを可能にする電子ディスプレイに対する必要性が残ったままである。さらに、こうしたキャラクタ・ディスプレイが、編布式製品または布として提供されるのに適することになることは望ましいと思われる。こうしたキャラクタ・ディスプレイが、可撓性電子ディスプレイ、たとえば、標識または他のメッセージ・ディスプレイで使用するのに適していることも望ましいと思われる。
【課題を解決するための手段】
【０００６】
この結果、ディスプレイは、行と列で配置した５９セグメントを備えることができる。５９セグメントのうちの２８セグメントは、ディスプレイの周縁を画定し、１１の付加的なセグメントは、４つの象限を画定する水平および垂直デバイダを画定し、５つの付加的なセグメントは、ディスプレイの対角線を画定するために、４つの象限のそれぞれに配設される。
【０００７】
さらに、編布式製品または布として提供されるのに適するディスプレイは、導電性糸または導電性糸の一部である導体を介して、容易に、かつ、好都合にアドレス指定されることが特に有利であろう。
【０００８】
好ましい実施形態（複数可）の詳細な説明は、図面の図と共に読まれると、より容易に、かつ、よりよく理解されるであろう。
【０００９】
２つ以上の図面の図において、要素または特徴部が示される図面では、各図において、こうした要素または特徴部を指定するのに、同じ英数字呼称を使用してもよく、密接に関連するか、修正された要素が図で示される場合、修正された要素または特徴部を指定するのに、「ａ」または「ｂ」を付けられるかまたは指定された、同じ英数字呼称を使用してもよい。同様に、同じ要素または特徴部は、図面の異なる図において、また、本明細書の同じ用語に関して、同じ英数字呼称で指定されてもよい。一般的な慣例によれば、図面の種々の特徴部は、一定比率に応じておらず、種々の特徴部の寸法は、明確にするために、任意に拡大または縮小されることが留意される。
【発明を実施するための最良の形態】
【００１０】
図１Ａおよび１Ｂは、５９セグメント・キャラクタ・ディスプレイ１０についての例の機構の略図であり、５９セグメントは、行と列機構におけるその位置に従って番号付けされる。
【００１１】
行と列で配置された５９セグメントを有するセグメント化されたキャラクタ・ディスプレイ１０は、ほぼ矩形のキャラクタ・ディスプレイ１０の周縁ＲＰを画定する２８のセグメントを備え、２８のセグメントは、ほぼ矩形の周縁ＲＰの各角１１１、１７１、１７９、１１９に配設された１つのセグメントを含み、５つ以上の付加的なセグメントの４つのグループはそれぞれ、ほぼ矩形のキャラクタ・ディスプレイ１０のそれぞれの辺ＴＳ、ＲＳ、ＢＳ、ＬＳを画定するように配設される。
【００１２】
１１の付加的なセグメントは、ほぼ矩形のキャラクタ・ディスプレイ１０の４つの象限Ｑを画定するように、ほぼ矩形のキャラクタ・ディスプレイ１０を分割する交差デバイダを画定するように配設され、１１の付加的なセグメントの１つのセグメント１４５は、ほぼ矩形のキャラクタ・ディスプレイ１０内のほぼ中心に配設され、１１の付加的なセグメントのうちの１０の他のセグメントは、１１の付加的なセグメントのうちの１つのほぼ中心に配設されたセグメント１４５から、ほぼ矩形のキャラクタ・ディスプレイ１０の各辺ＴＳ、ＲＳ、ＢＳ、ＬＳに延びるように配置される。
【００１３】
５つのセグメントは、４つの象限Ｑのそれぞれの中に配設され、それぞれの象限は、ほぼ中心に位置するセグメント１２３、１２７、１５３、１５７、ならびに、中心セグメント１２３、１２７、１５３、１５７から各象限Ｑの４つの角１１１、１１５、１１９、１４１、１４５、１４９、１７１、１７５、１７９のそれぞれの方に対角線方向に延びる４つのセグメントを含む。
【００１４】
より詳細には、ディスプレイ１０のセグメントは、ＲＷ１〜ＲＷ７で指定される７つの行と、ＣＬ１〜ＣＬ９で指定される９つの列に配置され、行ＲＷ１と列ＣＬ１は、キャラクタ・ディスプレイ１０の左下角で交差する。各セグメントは、英数字呼称「１ｙｘ」で特定され、「ｙ」は行番号であり、「ｘ」は列番号であり、それぞれ、行ＲＷ１〜ＲＷ７および列ＣＬ１〜ＣＬ９に相当する。そのため、セグメントの行は、行番号で呼ばれる、すなわち、セグメント番号、たとえば、行３は、ＲＷ３またはセグメント１３ｘと呼ばれ、列も同様に、列ＣＬ５またはセグメント１ｘ５と呼ぶことができる。
【００１５】
行ＲＷ１〜ＲＷ７および列ＣＬ１〜ＣＬ９（セグメント１１ｘ、１７ｘ、１ｙ１、１ｙ９）を含む２８のセグメントは、キャラクタ・ディスプレイ１０の矩形周縁ＲＰを画定する。１つの比較的短いセグメント１１１、１７１、１１９、１７９は、矩形ＲＰの各角にある。７つの付加的なセグメントは、周縁矩形ＲＰの、「上部」水平辺ＴＳ（すなわち、セグメント１７２、１７３、１７４、１７５、１７６、１７７、１７８）および「底部」水平辺ＢＳ（すなわち、セグメント１１２、１１３、１１４、１１５、１１６、１１７、１１８）を画定し、５つの付加的なセグメント（すなわち、それぞれ、セグメント１２１、１３１、１４１、１５１、１６１およびセグメント１２９、１３９、１４９、１５９、１６９）は、矩形ＲＰの垂直辺ＬＳ、ＲＳを画定する。矩形ＲＰの４つの辺ＢＳ、ＲＳ、ＬＳ、ＴＳのそれぞれは、中心位置に比較的短いセグメント１１５、１４１、１４９、１７５を有し、同様に、それぞれは、４つの比較的長いセグメント（たとえば、１２１、１３１、１５１、および１６１；１７２、１７４、１７６、および１７８など）を有し、２つの長いセグメントの対（たとえば、１２１と１３１、１１６と１１８など）は、短い中心セグメント１１５、１４１、１４９、１７５の対向する側に配設される。上部および底部辺ＴＳ、ＲＳのそれぞれはまた、比較的長いセグメントの各対（１１２と１１４、１１６と１１８など）の間に配設される比較的短いセグメント１１３、１１７、１７３、１７７を有する。
【００１６】
１１の付加的なセグメント１４２、１４３、１４４、１４５、１４６、１４７、１４８、１２５、１３５、１５５、１６５は、周縁矩形を４つの象限Ｑに分割する。具体的には、７つのセグメント１４２、１４３、１４４、１４５、１４６、１４７、１４８は、各垂直辺ＲＳ、ＬＳの比較的短い中心セグメント１４１、１４９の間で水平方向に周縁矩形ＲＰを二等分し、５つのセグメント１２５、１３５、１４５、１５５、１６５は、上部および底部辺ＴＳ、ＢＳの比較的短い中心セグメント１１５、１７５の間で垂直方向に矩形ＲＰを二等分する。セグメント１４５は、４つの象限Ｑが出会う所に位置し、周縁矩形ＲＰ内の比較的中心に位置する。
【００１７】
各象限Ｑの内部には、中心に位置する比較的短いセグメント１２３、１５３、１２７、１５７、ならびに、短い中心セグメント１２３、１５３、１２７、１５７から象限Ｑの角のそれぞれに、すなわち、各象限の各角の短いセグメントに向けて対角線方向に延びる、４つの比較的長いセグメント（たとえば、１２２、１３２、１２４、１３４；１５２、１６２、１５４、１６４など）がある。たとえば、右上の象限Ｑでは、セグメント１５６、１６６、１５８、１６８は、短い中心セグメント１５７から角１４５、１７５、１７９、および１４９のそれぞれの方に対角線方向に延びる。
【００１８】
中心セグメント１２３と１２７は行ＲＷ２にあるものとして述べ、中心セグメント１５３と１５７は行ＲＷ５にあるものとして述べているが、好都合であるか、望ましい場合には、行ＲＷ３およびＲＷ６に指定できることが留意される。
【００１９】
各セグメント１１１〜１７９は、電気的に駆動されると光を生成する１つまたは複数の供給源を含む。セグメント１１１〜１７９のある供給源を選択的に駆動することによって、駆動されたセグメント１１１〜１７９によって生成される光は、所望のキャラクタを画定する。この機構は、英語のアルファベットそれぞれの大文字と小文字の両方および数字０〜９、ならびに、「？」、「＄」、「％」、「＋」、「−」、「×」、「÷」、「＊」、「＜」、「＞」、「＆」、「↑」、「↓」、「←」、「→」、「△」、「Σ」、または「λ」などの他の記号およびキャラクタの一意の表示を提供する。ディスプレイは、９×７マトリクスとしてアドレス指定され、セグメントのうちの４つのセグメントは抜けており、残りの５９セグメントが選択的に駆動される。
【００２０】
たとえば、大文字「Ｏ」は、周縁矩形ＲＰの周りの２８のセグメントを駆動することによって表示することができ、小文字「Ｏ」は、小象限Ｑのうちの１つの周縁を画定する１４のセグメントを駆動することによって表示することができる。数字ゼロ「０」は、たとえば、角セグメント１１１、１１９、１７１、１７９を駆動しないことによって、または、中心セグメント、たとえば、セグメント１４５を駆動することによって、大文字「Ｏ」と区別することができる。あるいは、たとえば、ゼロは、中心垂直二等分線に沿って、また、矩形ＲＰの右辺ＲＳに沿って配設される１４のセグメント１１５〜１７５、１１９〜１７９を駆動し、同様に、矩形ＲＰの上部および底部辺ＴＳ、ＢＳの右側部分の６つの付加的なセグメント１１６〜１１８および１７６〜１７８を駆動することによって表されてもよい。
【００２１】
さらなる例として、大文字「Ｚ」は、矩形ＲＰの上部および底部辺ＴＳ、ＢＳに沿う１８のセグメント１１１〜１１９および１７１〜１７９、ならびに、矩形ＲＰの右上角１７９と左下角１１１の間の対角線に沿う７つのセグメント１２２、１２３、１３４、１４５、１５６、１５７、１６８を駆動することによって表示されてもよい。小文字「ｚ」は、小象限Ｑの上部および底部辺のそれぞれに沿う５つのセグメント（たとえば、セグメント１１５〜１１９および１４５〜１４９）および矩形ＲＰの右上角と左下角の間の対角線に沿う３つのセグメント（たとえば、１２６、１２７、１３８）を駆動することによって表示されてもよい。
【００２２】
さらに、左辺ＬＳに沿って配設されるセグメント１１１〜１７１の全てを照明して数字「１」を表示し、右上および右下の象限Ｑの周縁に沿って配設され、それらの内側に配設されたセグメント１１５〜１７９のうちの選択されたセグメントを照明して第２の数字１〜９を表示することによって、ある複数のキャラクタの組み合わせが、数値１１〜１９を表示するなど単一キャラクタ・ディスプレイ１０によって表示されてもよい。
【００２３】
図２は、９つの列ＣＬ１〜ＣＬ９で配置された複数の光源を含む図１の５９セグメント・ディスプレイ１０の例の実施形態の略図である。光源ＬＳ（円で示す）は、図において、上部から底部へ並んで配置されたストリップＦＹのセット上に配設され、ストリップＦＹの選択されたタイプの１つまたは複数は、９つの列ＣＬ１〜ＣＬ９のそれぞれを含む。ストリップＦＹは、以下で述べるいくつかの「タイプ」であり、図２の下側部分に沿ってタイプＡ、Ｂ、Ｃ、Ｄ、Ｅ、およびＦとして指定される。タイプＡ、Ｂ、Ｃ、Ｄ、Ｅ、およびＦのストリップＦＹは、本明細書では、ストリップ、または、それぞれ、機能性糸ＦＹ−Ａ、ＦＹ−Ｂ、ＦＹ−Ｃ、ＦＹ−Ｄ、ＦＹ−Ｅ、およびＦＹ−Ｆを指す。
【００２４】
図示するように、２０のストリップＦＹは、ディスプレイ１０を構成し、ストリップＦＹの中の２つは、それぞれタイプＡおよびタイプＦのストリップＦＹであり、ストリップＦＹの中の４つは、それぞれタイプＢ、Ｃ、Ｄ、およびＥのストリップＦＹである。各ストリップＦＹは、２２の光源ＬＳ位置を有し、ＬＳ位置の全てが、全てのストリップＦＹ上で利用されるわけではない場合がある。全ての位置が、光源ＬＳを有する場合、２０×２２光素子ディスプレイ１０が提供される。これらの４４０の光源（たとえば、ＬＥＤ）は、６３のアドレス指定可能なセグメントで、すなわち、各ストリップＦＹ上の（１〜４のＬＥＤそれぞれの）７つのアドレス指定可能なセグメントによって接続される。１つの好ましい実施形態では、可能な４４０のＬＥＤ位置のうちの３１６のみが、そのためにＬＥＤを有する。これらの３１６のＬＥＤは、５９のアドレス指定可能なセグメントで、すなわち、各ストリップＦＹ上の（１〜４のＬＥＤそれぞれの）７以下のアドレス指定可能なセグメントによって接続される。たとえば、別の５９セグメント・ディスプレイまたは別のディスプレイ機構を得るために、他の実施形態が望まれる場合がある。
【００２５】
２０のストリップＦＹは、９つの列ＣＬと関連し、各列は、１、２、または３のストリップＦＹを含むことができる。列ＣＬ１とＣＬ９はそれぞれ、１つのタイプＡストリップＦＹ−Ａおよび１つのタイプＢストリップＦＹ−Ｂを含むことができる。列ＣＬ２、ＣＬ４、ＣＬ６、およびＣＬ８はそれぞれ、１つのタイプＣストリップＦＹ−Ｃ、１つのタイプＤストリップＦＹ−Ｄ、および１つのタイプＥストリップＦＹ−Ｅを含むことができる。列ＣＬ３とＣＬ７はそれぞれ、１つのタイプＦストリップＦＹ−Ｆを含むことがで、列ＣＬ５は、２つのタイプＢストリップＦＹ−Ｂを含むことができる。そのため、６つの異なるタイプのストリップＦＹのみを使用して、５９セグメント・キャラクタ・ディスプレイ１０の９つの列ＣＬ１〜ＣＬ９を含む２０のストリップＦＹが提供される。所与の列のストリップＦＹは、５９セグメントの任意の組み合わせを駆動するために、９つの列グループのみがアドレス指定される必要があるのと同じ方法でアドレス指定されてもよい。
【００２６】
ストリップＦＹのタイプＡ〜Ｆは、ストリップ上に配設される光源ＬＳの数および接続によって画定される。図示するように、各ストリップＦＹ上に、２２までの光源ＬＳが配設されてもよいが、ストリップＦＹタイプＢを除いて、２２未満の光源ＬＳが設けられる。各ストリップ上の光源ＬＳは、７つ以下のグループにグループ分けされ、それによって、上述した列ＲＷ１〜ＲＷ７に相当する７つ以下のセグメントが画定され、７つの列またはセグメントは、光源ＬＳを表す各円内の小さな数値で、図２で指定される。図示するように、タイプＡ〜ＥのストリップＦＹはそれぞれ、７つの独立にアドレス指定可能なセグメントを有し、タイプＦのストリップＦＹは、５つの独立にアドレス指定可能なセグメントを有し、それぞれの独立にアドレス指定可能なセグメントは、画定された行ＲＷに相当する。
【００２７】
示す例の実施形態では、全てのタイプのストリップＦＹは、５つのセグメント（グループ）のみを含むことができるタイプＦストリップＦＹを除いて、光源ＬＳの７つのセグメント（グループ）を含む。一般に、ディスプレイは、同じ数のグループの光源ＬＳを有する（たとえば７つのセグメントに配置される）複数のストリップＦＹを備えるか、または、７つ未満のセグメントを備える１つまたは複数のストリップＦＹを有してもよい。セグメントの数に影響を及ぼす１つの因子は、たとえば、ストリップＦＹのあるストリップ上に少数の部品を使用し、複数の（たとえば、６つの）異なるタイプのストリップＦＹを製造することによるコスト節約に対して、全てのストリップＦＹを同じに（また、より複雑に）することの利益を考えると、製造コストである場合がある。部品のコストに加えて、処理し、在庫するための、選んで設置する同じパターンに対する選んで設置する異なるパターンのコスト、同じ基板に対する異なる基板のコスト、６つのタイプに対する１つのタイプのコストもまた、全体の製造コストに影響を及ぼす場合がある。
【００２８】
各光源ＬＳは、通常、ストリップＦＹに搭載され、導体および導体上の回路によって選択的に駆動される１つまたは複数の発光ダイオード（ＬＥＤ）によって提供される。好ましくは、ストリップＦＹは、ＬＥＤ光源ＬＳが、選択的に電力を受け取るために接続するパターン化導体がその上に形成される電子基板を含む。通常、以下に述べるように、ストリップＦＹはまた、選択的にＬＥＤを駆動して、ＬＥＤに選択的に光を生成させるために、ＬＥＤに電力を選択的に印加する集積回路および／またはトランジスタを含む。
【００２９】
光源位置ＬＳ１〜ＬＳ２２における各機能性糸ＦＹ上へのＬＥＤの設置は、表示されるキャラクタを、より美的に心地よく見えさせるように選択されてもよい。そのため、機能性糸ＦＹ−Ａからの光源ＬＳ１とＬＳ２２の省略は、照明時に、各角の３つの光源によって提供される短いセグメント１１１、１１９、１７１、１７９が、矩形よりも丸く見えるように、４つの最も端の角位置を空のままにする。さらに、光源ＬＳのある光源は、同様に、四角形の外観を回避するように、選択されたセグメントに割り当てられてもよい。
【００３０】
たとえば、光源ＬＳのある行は、「混合行」ＭＲとして指定されてもよく、光源ＬＳ（ＬＥＤ）は、たとえば、あるセグメントについて丸い端部の外観を提供するために、２つの隣接するセグメントまたは行からのＬＥＤの混合を含む。たとえば、ディスプレイ行ＲＷ１とＲＷ２において接続された、光源ＬＳを含む「混合行」ＭＲにおいて、列ＣＬ１、ＣＬ５、およびＣＬ９の機能性糸ＦＹ−Ｂの光源ＬＳ３は、行ＲＷ１のセグメントで駆動され、列ＣＬ１、ＣＬ２、ＣＬ６、ＣＬ８、およびＣＬ９の機能性糸ＦＹ−ＡおよびＦＹ−Ｃの光源ＬＳ３は、行ＲＷ２のセグメントで駆動される。同様に、行ＲＷ３とＲＷ４を含む「混合行」において、列ＣＬ１、ＣＬ５、およびＣＬ９の機能性糸ＦＹ−Ｂの光源ＬＳ７は、行ＲＷ４のセグメントで駆動され、列ＣＬ１、ＣＬ２、ＣＬ６、ＣＬ８、およびＣＬ９の機能性糸ＦＹ−ＡおよびＦＹ−Ｃの光源ＬＳ７は、行ＲＷ３のセグメントで駆動される。
【００３１】
これらの混合行ＭＲは、光源ＬＳを駆動する回路要素を簡略化するのに役立ち、ある場合には、フォントの特定のキャラクタの美観を改善することができるが、これらの混合行ＭＲの一部は、「欠陥」（たとえば、望ましくない形状）をフォントに導入すると考えられる場合がある。これらの混合行ＭＲの任意の、または全ての光源ＬＳは、所望であれば、隣接する行ＲＷの一部としてではなく、独立して駆動されることができる。たとえば、示すように、行ＬＳ７とＬＳ１７は、欠陥を導入すると考えられず、一方、行ＬＳ３、ＬＳ１０、ＬＳ１３、およびＬＳ２０は、欠陥をフォントに導入すると考えられる。
【００３２】
好ましい例のディスプレイ１０は「ストリップ」および／または「機能性糸」によって述べられるが、上述したディスプレイ１０の物理的実施形態は、１つまたは複数の基板上に設けられてもよい。
【００３３】
図３は、光源の行と列を提供するために、光源ＬＳが上に配置されている「機能性糸」である複数のストリップＦＹを含む、セグメント・ディスプレイ１０の少なくともある部分を含む例の編布式製品の実施形態２００のある部分の略図である。機能性糸ＦＹは、絶縁性糸２１０に関して１つのたて糸とよこ糸で編み込まれ、絶縁性糸２２０に関して他のたて糸とよこ糸で編み込まれる。製品２００では、導電性糸２４０、２４２、２４４が、好ましくは、機能性糸ＦＹの方向を横切る方向に編み込まれる。機能性糸ＦＹは、互いに隣接して、すなわち、並んだ機構で配置され、製品２００のたて糸かよこ糸のいずれかで編まれてもよいが、好ましくは、よこ糸で編まれる。
【００３４】
「機能性糸」ＦＹは、電気的にまたは電子的にある機能を実施するある要素および／またはデバイスを含む糸である。具体的には、機能性糸ＦＹは、編むのに適した糸であり、電子導体および回路機能を実施するための電子導体上の電子デバイスを有する基板を備える。電子デバイスは、抵抗器、コンデンサ、インダクタ、ダイオード、トランジスタ、ハイブリッド回路、集積回路、それらの組み合わせを含むデバイス、および他の電子デバイスを含んでもよい。通常、基板上の導電体ＥＣの１つまたは複数は、１つまたは複数の接点（コンタクト）、たとえば、コンタクト２３０、２３２、２３４を提供し、コンタクトにおいて、たとえば、電気回路の電位または電流を印加するために、かつ／または、機能性糸ＦＹに対して信号を伝達するために、機能性糸ＦＹの電気回路（複数可）と電気接続を行うことができる。
【００３５】
機能性糸、織物、編布式製品の例、および、機能性糸を含む、布および編布式製品を編み、それに対処する方法は、２００４年１月１５日に公開された米国特許公開第２００４／０００９７２９号である「WOVEN ELECTRONIC TEXTILE AND ARTICLE」という名称の、Ian  G. Hill他による、２００３年２月１３日に出願された米国特許出願第１０／３６６，４４１号、および、２００３年１１月２０日に公開されたＰＣＴ公開第ＷＯ０３／０９４７１９Ａ１号に記載され、両者は、参照によりその全体が本明細書に組み込まれる。
【００３６】
より大きな製品の一部であってよい図示する製品２００では、互いに隣接して配設された４つの機能性糸ＦＹは、全てが、同じ方向に、すなわち、並んで位置する(lie)３つの絶縁性糸２２０によって互いから分離される。絶縁性糸２１０は、機能性糸ＦＹおよび絶縁性糸２２０を横切るように編み込まれる。導電性糸２４０、２４２、２４４は、各機能性糸ＦＹのそれぞれの、接点２３０、２３２、２３４にそれぞれ重なるように、機能性糸ＦＹおよび絶縁性糸２２０を横切るように適所に編み込まれ、互いに分離され、１つまたは複数の絶縁性糸２１０によって、互いから絶縁される。
【００３７】
隣接する機能性糸ＦＹ間の間隔（すなわち、ＦＹ間の「ピッチ」）は、ＦＹ間で編まれた絶縁性糸２２０の数および／またはＦＹの幅または直径によって、ならびに、編み方の強さによって画定されてもよい。同様に、隣接する導電性糸２４０、２４２、２４４間の間隔（すなわち、導電性糸間の「ピッチ」）は、導電性糸間で編まれた絶縁性糸２１０の数および／または導電性糸の幅または直径によって、ならびに、編み方の強さによって画定されてもよい。
【００３８】
図示する例の機能性糸ＦＹは、機能性糸ＦＹの一端に近接して、３つの電気接点（コンタクト）２３０、２３２、２３４を有するが、電気コンタクトは、機能性糸ＦＹの一端または両端に、かつ／または、その端部の中間の１つまたは複数のロケーションに設けられてもよい。コンタクト２３０、２３２は、電位を受け取るためであってよく、たとえば、相対的に正電位Ｖ＋が導電性糸２４０を介してコンタクト２３０に印加され、相対的に負電位Ｖ−が導電性糸２４２を介してコンタクト２３２に印加される。両者のいずれかが、基準電位、たとえば、「グラウンド」電位として考えられてもよい。コンタクト２３４は、導電性糸２４４を介して電気信号、たとえば、機能性糸ＦＹの電気回路によって実施されることができる１つまたは複数の機能を作動させる、かつ／または、その他の方法で制御するための１つまたは複数の信号を受け取るためであってよい。述べる例の実施形態では、コンタクト２３４は、導電性糸２４４を介して、機能性糸ＦＹの特定の１つまたは複数を特定し、アドレス指定された機能性糸ＦＹ上の選択された光源ＬＳの照明を制御するための命令を提供するアドレス指定信号を受け取る。
【００３９】
適した導電性および絶縁性糸の例は、同様に、米国特許公開第２００４／０００９７２９号に記載される。好ましい導電性糸、たとえば、糸２４０、２４２、２４４の例は、銅線、ならびに、搬送される電流がかなりのアンペア数である同軸ケーブル編組外部導体またはリッツ線などの、編組されるか、または、編まれた銅線を含んでもよい。大電流搬送能力を得るために、２つ以上の導電性糸が、隣接して編まれてもよい。
【００４０】
集積回路Ｕ１は、それぞれ、導電性糸２４０、２４２、２４４、導電体ＥＣ、およびコンタクト２３０、２３２、２３４を介して、電位およびアドレス指定信号を受け取る。回路Ｕ１は、アドレス指定信号を復号し、復号したアドレス指定信号に応答する電気信号を種々の他の導電体ＥＣを介して提供して、光源ＬＳの種々の光源の起動を制御する。各光源ＬＳは、たとえば、導電体ＥＣを介してコンタクト２３０から電位Ｖ＋を受け取るように、また、導電体ＥＣを介して、集積回路Ｕ１から、正の低作動電位を選択的に受け取るように接続される。
【００４１】
図示するように、編布式製品２００は、行−列マトリクス・ディスプレイの行ＲＷ１〜ＲＷ４および列ＣＬ３〜ＣＬ６を含む。図示するように、各機能性糸ＦＹは、１つの列を提供し、ディスプレイ１０の各行ＲＷ１〜ＲＷ４に対して特定される４つの光源ＬＳを含むが、図示しないディスプレイの行ＲＷ５〜ＲＷ７については、付加的な光源、たとえば、３つの光源ＬＳを含む。
【００４２】
アドレス指定信号は、導電性糸２４４およびコンタクト２３４を介して、機能性糸ＦＹのそれぞれの上の集積回路Ｕ１に直列に伝達されることができる。アドレス指定信号は、アドレス部分と制御部分を含むことができ、同期部分と、パリティ・チェックおよび同様なものなどの検証部分を含んでもよい。各機能性糸ＦＹの集積回路Ｕ１は、たとえば、ＲＯＭ、ＰＲＯＭ、ＥＥＰＲＯＭ、あるいは集積回路Ｕ１内の、または、集積回路Ｕ１と関連する他のメモリ内にプログラムされることによって、集積回路Ｕ１に関連する一意のアドレスまたは識別番号を有してもよい。アドレス指定信号が、特定の集積回路Ｕ１の一意のアドレスまたは一意の識別番号を含む場合、その集積回路Ｕ１は、他のアドレスまたは識別番号を含むアドレス信号を無視しながら、それ自身のアドレスまたは識別番号に応答して、アドレス信号に関連する制御信号部分を記憶（ラッチ）する。こうした回路は、アドレス指定可能ラッチ復号器またはＡＬＤと呼ばれることがある。
【００４３】
集積回路Ｕ１をアドレス指定する記憶された制御信号に応答して、各集積回路Ｕ１は、関連する制御信号を復号して、その制御信号によって表される機能を実施する。図示する機能性糸ＦＹの場合、その応答は、所与の時間の間か、または、異なる制御信号を含む後続のアドレス指定信号が受け取られるまで、その機能性糸ＦＹ上の光源ＬＳの種々の光源をオン／オフすることを含む。光源ＬＳは、単に、オン／オフし、それによって、所望の照明メッセージを提供することができる。図示する実施形態では、集積回路Ｕ１は、好ましくは、たとえば、図１Ａ〜１Ｂおよび２で示すように、ディスプレイ１０を動作させるために、アドレス指定可能ラッチ７セグメント復号器である。
【００４４】
あるいは、各セグメントの光源ＬＳは、所望のレベルで、たとえば、完全に駆動された光出力の０％〜１００％のレベルで、光を制御可能に提供するために、たとえば、光源に対して、低い電位、あるパルス幅、または、他の時間変調された電位を印加することによって、または、光源を流れる電流を制御することによって、制御可能な方式で、部分的にオンされてもよい。結果として、ディスプレイ２００は、画像ならびにキャラクタを表示するのにグレー・スケール・パターンを提供することができる。グラフィック・ディスプレイが所望される場合、各機能性糸は、好ましくは、十分な量の光源ＬＳを含み、さらに好ましくは、各光源ＬＳは、アドレス指定可能ラッチ復号器Ｕ１の動作によって独立して制御可能である。こうしたディスプレイは、たとえば、十分な量より少ない光源ＬＳを有する図２に示す特定のディスプレイ上では可能でない、スクロールするキャラクタ・メッセージを表示するのに適するであろう。
【００４５】
図３の編布式製品２００は、たとえば、図１Ａ、１Ｂ、および２に示すキャラクタ・ディスプレイ１０のキャラクタのある部分２００を示す。キャラクタ・ディスプレイ１０は、後で組み立てて、複数のキャラクタを有するディスプレイにされる個々のキャラクタとして編まれてもよく、または、多くのキャラクタ１０を含む長い布に編まれてもよい。現在のところ好ましいこうした機構では、機能性糸ＦＹは、よこ糸に編まれ、導電性糸２４０、２４２、２４４は、たて糸に編まれ、それによって、たて糸方向の長さは、たて糸が許す限り長くあることができ、数百メートル以上である可能性がある。
【００４６】
隣接するキャラクタ１０、２００間の間隔は、ある数の絶縁性よこ糸２２０が編まれる領域によって提供される。すなわち、ある数は、キャラクタ・ディスプレイ１０の隣接する機能性糸ＦＹ間の絶縁性よこ糸２２０の数より多い。絶縁性糸２２０の数は、よこ糸の直径／幅および／または編み方の強さが与えられると、所望の間隔を提供するように選択される。任意所望の数のキャラクタ１０、２００を有するディスプレイは、その後、所望の数のキャラクタを含む、編布式ディスプレイの長さを切断する、通常、隣接するキャラクタ・ディスプレイ１０、２００間の間隔のうちの１つの間隔で、たて糸にわたって切断することによって提供されてもよい。
【００４７】
たとえば、ピリオド、コンマ、セミコロン、コロン、またはハイフンなどの句読点は、隣接するキャラクタ１０、２００間の間隔領域のうちの任意の１つまたは複数の間隔領域において、よこ糸で編まれた機能性糸ＦＹによって固定位置に設けられてもよく、たとえば、所望位置に、隣接するキャラクタ１０、２００から句読点マークの所望の間隔を空けるために、絶縁性糸が機能性糸の両側にある。通常、句読点マークを設けるのに、１つまたは２つの隣接する機能性糸ＦＹのみで十分であり、各機能性糸は、１つまたは少数の行ＲＷの光源ＬＳのみを動作させる必要があるため、ＬＥＤ  Ｄ１〜Ｄ２２のいくつかを必要とするだけであることになる。
【００４８】
上述の機構が好ましい場合があるが、述べる編布式キャラクタ・ディスプレイの他の機構を設けることができる。たとえば、それぞれが７つのＬＥＤセグメントを上に有する５つのストリップのセットは、５×７素子マトリクス・キャラクタ・ディスプレイを提供するのに使用することができるか、それぞれが９つのＬＥＤセグメントを有する７つのストリップは、７×９素子マトリクス・ディスプレイを提供することができるか、または、ストリップと光源機構の数を選択することによって、任意の他の所望のキャラクタ・ディスプレイ機構が提供されてもよい。５×７素子マトリクス・キャラクタ・ディスプレイは、３５のＬＥＤのみを、すなわち、５つの独立にアドレス指定可能な機能性糸ＦＹのそれぞれの上に７つのＬＥＤのみを必要とするであろう。より美的に心地よいキャラクタ、たとえば、丸い角を有するように見えるキャラクタ（その例は、図２のディスプレイ１０である）は、述べるキャラクタ・ディスプレイの任意のディスプレイ内の付加的なＬＥＤによって提供されることができる。
【００４９】
図４は、図３に示す糸などの、電気的機能性糸ＦＹに適する例としての回路の回路略図である。全ての示す電気部品が搭載された時に、この例としての回路を実現するための導電体パターンを提供する機能性糸基板はまた、たとえば、単に、示す抵抗器およびＬＥＤの選択されたものを省略し、また、たとえば、短絡（ジャンパ線を設けることによるゼロオーム値）を提供することを含む、一定の抵抗器の値を適切に選択することによって、いくつかの異なるタイプの機能性糸ＦＹを提供するのに適する。
【００５０】
本明細書で述べる回路Ｕ１のアドレス指定、ラッチ、および復号機能は、集積回路Ｕ２およびＵ３によって提供される。集積回路Ｕ２は、データ・ピン２においてアドレス指定信号を受け取り、アドレス指定信号に応答して出力ピンＰＩＯ−ＡおよびＰＩＯ−Ｂにおいて信号を提供するアドレス指定可能スイッチであってよい。集積回路Ｕ３は、７つのディスプレイ・セグメントに相当するトランジスタＱ１〜Ｑ７のあるものを選択的に作動させるために、集積回路Ｕ２からの信号ＰＩＯ−ＡおよびＰＩＯ−Ｂに応答してＬＥＤの７セグメントを駆動する出力を提供するラッチ式シフト・レジスタであってよい。選択的に作動すると、セグメント・トランジスタＱ１〜Ｑ７は、７つのセグメントＬＳ１〜ＬＳ７の選択されたセグメントから光を生成するために、ＬＥＤ  Ｄ１〜Ｄ２２のあるものを駆動する。
【００５１】
７つのセグメントのそれぞれは、各ドライブ・トランジスタＱ１〜Ｑ７によって制御され、ＬＥＤ  Ｄ１〜Ｄ２２のうちのあるものを含む１つ、２つ、３つ、または４つのＬＥＤ光源を含んでもよい。抵抗器Ｒ１〜Ｒ５４は、ＬＥＤ  Ｄ１〜Ｄ２２の現在のＬＥＤにおいて所望の電流を提供するように選択され、かつ、集積回路Ｕ２をバイアスするための抵抗値を有する。抵抗値は、ゼロオーム、たとえば、線のジャンパから、抵抗器の省略によって可能になるオープン回路までの範囲にあることができるが、典型的な例の回路では、ほとんどの抵抗値は、０〜２００オームであり、一方、バイアス抵抗器、たとえば、Ｒ８、Ｒ９は、集積回路Ｕ３の入力端子の電圧を「プルアップ」するために、通常、約１０００オームより大きく、たとえば、約１０００〜１０，０００オームの範囲である。通常、トランジスタＱ１〜Ｑ７のエミッタに接続される抵抗器Ｒ１〜Ｒ７は、集積回路Ｕ３の出力端子において、約４．７ボルトの典型的な出力電圧が提供された場合に、ＬＥＤ  Ｄ１〜Ｄ２２のあるものについて、約２０ｍＡの所望の電流レベルが存在するようにさせるために約２００オームである。
【００５２】
Ｑ１〜Ｑ７のコレクタ回路の抵抗器Ｒ１０〜Ｒ５４は、省略されて（すなわち、比較的高い抵抗値（たとえば、オープン回路）を提供して）もよく、または、糸ＦＹの所望の機能（たとえば、タイプＡ〜Ｆ）を提供するために、設けられるＬＥＤ  Ｄ１〜Ｄ２２の一定のＬＥＤを、トランジスタＱ１〜Ｑ７のうちのどのトランジスタが駆動するかを決定するために、非常に低い抵抗値（たとえば、線ジャンパ）であってもよい。さらに、ＬＥＤ  Ｄ１〜Ｄ２２のあるものは、省略されてもよく、または、トランジスタＱ１〜Ｑ７のどの１つのトランジスタによって、ＬＥＤ  Ｄ１〜Ｄ２２のどのＬＥＤが駆動されるかを選択するために、低抵抗値、たとえば、線ジャンパによって置き換えられてもよい。
【００５３】
図４の回路は、上述した機能性糸ＦＹ−Ａ〜ＦＹ−ＦのタイプＡ〜タイプＦの任意のタイプで使用するのに適し、機能性糸のタイプ（または、機能）は、機能性糸上に含まれるＬＥＤ  Ｄ１〜Ｄ２２のあるものによって画定される。説明のために、それぞれ、ＬＥＤ  Ｄ１〜Ｄ２２に相当する、図の底部の番号１から、図の上部の番号２２まで番号を付けた、図２のディスプレイ１０の２０の列ＣＬのそれぞれにおける２２の光源位置を考える。次に、たとえば、タイプＡ機能性糸ＦＹ−Ａは、ＬＥＤ  Ｄ２〜Ｄ２１を含み、ＬＥＤ  Ｄ１およびＤ２２の場所に０オーム抵抗器を含むことになる。抵抗器Ｒ１０、Ｒ１２、Ｒ１６、Ｒ２０、Ｒ２２、Ｒ２６、Ｒ２８、Ｒ３０、Ｒ３２、Ｒ３７、Ｒ３９、Ｒ４２、Ｒ４６、Ｒ４８、Ｒ４９、Ｒ５１、およびＲ５３は、０オーム抵抗器であり、抵抗器Ｒ１１、Ｒ１３、Ｒ１４、Ｒ１５、Ｒ１７、Ｒ１８、Ｒ１９、Ｒ２１、Ｒ２３、Ｒ２４、Ｒ２５、Ｒ２７、Ｒ２９、Ｒ３１、Ｒ３３、Ｒ３４、Ｒ３５、Ｒ３６、Ｒ３８、Ｒ４０、Ｒ４１、Ｒ４３、Ｒ４４、Ｒ４５、Ｒ４７、Ｒ５０、Ｒ５２、およびＲ５４は省略される。さらに、タイプＢ機能性糸ＦＹ−Ｂは、ＬＥＤ  Ｄ１〜Ｄ２２を含み、タイプＣ機能性糸ＦＹ−Ｃは、ＬＥＤ  Ｄ１〜Ｄ４、Ｄ９〜Ｄ１４、およびＤ１９〜Ｄ２２を含み、ＬＥＤ  Ｄ４〜Ｄ８およびＤ１５〜Ｄ１８を省略することになる。こうして、２０×２２＝４４０の可能な光源位置を有するディスプレイ１０は、３１６の選択された位置に３１６のＬＥＤ  Ｄ１〜Ｄ２２のみを利用して多様性のあるキャラクタ・ディスプレイを提供することができる。
【００５４】
適した電子デバイスは、たとえば、デバイスＵ２については、Maxim Integrated Products（カルフォルニア州サニーベイル(Sunnyvale, California)）およびDallas Semiconductor（テキサス州ダラス(Dallas, Texas)）から入手できるタイプＤＳ２４０６デュアル・アドレス指定可能スイッチ・プラス１Ｋビット・メモリ集積回路、デバイスＵ３については、Texas Instruments（テキサス州ダラス(Dallas, Texas)）から入手できるタイプＳＮ７４ＬＶ５９５ＡＲＧＹＲラッチ式シフト・レジスタを含む。トランジスタＱ１〜Ｑ７は、任意の汎用ＮＰＮトランジスタであってよく、その例は、タイプＦＭＭＴ４４９ＳＯＴ  ＮＰＮトランジスタである。適したＬＥＤは、たとえば、台湾、台北にあるLite-On Technology Corp.から入手できる、それぞれ、赤色発光、黄色発光、および緑色発光ＬＥＤであるタイプＬＴＳＴ−Ｃ１５０ＫＲＫＴ，ＬＴＳＴ−Ｃ１５０ＫＹＫＴ、およびＬＴＳＴ−Ｃ１５０ＫＧＫＴを含むいくつかの市販光源から入手できる。１つまたは複数のコンデンサ、たとえば、Ｃ１は、電力源電位をフィルタリングするために設けることができる。
【００５５】
述べるディスプレイにおいて、機能性糸ＦＹを動作させるには、単一電力源が必要であるが、２以上の電位の電力を提供することが、場合によっては、望まれる場合がある。図４の示す回路では、たとえば、電力は、Ｖ−またはＧＮＤとして指定されるグラウンド電位に対して、ＬＥＤ  Ｄ１〜Ｄ２２を動作させるためのＶＣＣで指定される比較的高い電圧、たとえば、＋１２ボルト、および、集積回路Ｕ２およびＵ３を動作させるためのＶ＋で指定される低電位、たとえば、約＋３．３ボルトＤＣで供給されてもよい。通常、任意の所与のセグメントのＬＥＤ  Ｄ１〜Ｄ２２は全て、直列に接続され、たとえば、電位ＶＣＣから一緒に駆動されるが、直列接続と並列接続ＬＥＤの任意の適した組み合わせが利用されてもよい。
【００５６】
こうして、各機能性糸ＦＹは、好ましくは、アドレス指定可能ラッチ式ドライバ（ＡＬＤ）集積回路Ｕ１（たとえば、図３）を含み、集積回路Ｕ１は、一意のアドレスまたは識別子を有し、一意のアドレスまたは識別子によって、集積回路Ｕ１をアドレス指定することができ、機能性糸ＦＹ上の素子についての制御信号を、集積回路Ｕ１に伝達してもよい。集積回路Ｕ１は、集積回路Ｕ２／Ｕ３に関して本明細書で述べる機能に匹敵する機能を実施する。好ましくは、集積回路Ｕ１は、ＬＥＤ  Ｄ１〜Ｄ２２のあるＬＥＤを選択的に駆動するために、そのアドレスまたは識別子を認識し、次に、アドレスまたは識別子に関連する１つまたは複数の信号に応答する回路要素を含む。最も好ましくは、集積回路Ｕ１はまた、ＬＥＤ  Ｄ１〜Ｄ２２に制御可能な電流ドライブを与えるために、トランジスタＱ１〜Ｑ７および抵抗器Ｒ１〜Ｒ７、または、それらの等価物を含む。
【００５７】
各ＡＬＤ回路Ｕ１／Ｕ２／Ｕ３は、特定のセグメントのＬＥＤを（全て、または、部分的に）オンおよび／またはオフするために、アドレスまたは識別子を含む、直列に印加されるアドレス指定信号データ・ストリームＳＩＧＮＡＬに応答して、アドレス指定信号を受け取り、復号する。各セグメントは、ある数、たとえば、７以下のセグメントで配置された、１つまたは複数の光源、たとえば、ＬＥＤ  Ｄ１〜Ｄ２２を含み、たとえば、各セグメントがＡＬＤ回路Ｕ１／Ｕ２／Ｕ３の異なる出力に接続されることによって、ＡＬＤ回路Ｕ１／Ｕ２／Ｕ３によって独立に制御されることができる。
【００５８】
図５は、キャラクタ・ディスプレイ５１２、５２２、５３２を提供する複数の編布式製品５１０、５２０、５３０を含む例のディスプレイ５００の略図である。編布式製品５１０、５２０、５３０はそれぞれ、上記図１Ａ〜１Ｂ、２、および３に関連して述べた種類の、たとえば、複数の編布式キャラクタ・ディスプレイ５１２、５２２、５３２を含む、ある長さの編布を備える。それぞれの編布式製品は、上述したように、機能性糸ＦＹが編み込まれており、機能性糸の底部縁に近接して配設された、機能性糸の導電体、たとえば、導体２４０、２４２、２４４を介してアドレス指定可能である。
【００５９】
同じタイプの複数のディスプレイ５１０ａ、５１０ｂ、５１０ｃは、ディスプレイ５１０と同じタイプであってよい。たとえば、ディスプレイ５１０ａ、５１０ｂ、５１０ｃは、より長い長さの編布式ディスプレイ５１０から切断した所定の長さの編布式ディスプレイであってよい。ディスプレイ５２０は、たとえば、より長い長さの編布式ディスプレイ５２０から切断した、ある長さの編布式ディスプレイ５２０であってよい。ディスプレイ５３０は、たとえば、より長い長さの編布式ディスプレイ５３０から切断した、ある長さの編布式ディスプレイ５３０であってよい（または、所望のキャラクタ５３２がキャラクタ５１２と同じサイズである場合、より長い長さの編布式ディスプレイ５１０から切断した、ある長さの編布式ディスプレイ５１０であってよい）。あるいは、ディスプレイ５１０、５２０、５３０の任意の１つまたは複数は、所与のディスプレイ５００に適切なキャラクタ・エリア５１２、５２２、５３２の長さ、幅、および数を持って編まれてもよく、または、キャラクタ５１２、５２２、５３２の任意の１つまたは複数は、個々のキャラクタとして編まれてもよい。
【００６０】
好ましい機構では、ディスプレイ５１０、５２０、５３０の長さは、より長い長さの編布式ディスプレイ５１０、５２０、５３０から切断され、たとえば、縫いつける、かつ／または、粘着的に取り付ける、かつ／または、熱的に溶着されることによって、補強基板５５０上に組み立てられる。結果として、大量に、かつ、ユニット当たり、比較的低コストで製造することができる、少数の標準化したディスプレイ部品５１０、５２０から、比較的大きいサイズのディスプレイ５００を提供することができる。これは、たとえば、必要とされる機能性糸ＦＹのタイプの数を減らし、編み作業のために処理し、編成される必要性を持たせることによって、完全なディスプレイ５００の直接的な編み作業に比べて、ディスプレイ素子５１２、５２２、５３２の編み作業を簡略化する。基板５５０は、好ましくは、容易な折り畳み性と格納のために、部品ディスプレイ５１０、５２０、５３０がそうであるように、ドレープとゆとりを有するような布である。
【００６１】
ディスプレイ５００はまた、基板５５０およびディスプレイ５１０、５２０、５３０を覆い隠す、そこを通してキャラクタ５１２、５２２、５３２を閲覧することができる開口を有する任意選択の布基板５５２を含んでもよい。こうした覆い隠す基板５５２は、通常、たとえば、より「完成度の」高い外観を提供するため、または、他の美観のために、導電体５４０およびディスプレイ５１０、５２０、５３０の縁部を視野から隠す、布カバーである。あるいは、また、任意選択で、布基板５５２は、基板５５０の代わりに（基板無しで）利用されてもよく、その場合、基板５５０に取り付けられているものとして述べられるものは何でも、同様に、カバー基板５５２に取り付けられるであろう。
【００６２】
補強基板５５０か、カバー基板５５２のいずれか、または、その両方は、基板が、複数のディスプレイ５１０、５２０、５３０のそれぞれに共通であることができ、たとえば、複数のディスプレイ５１０、５１０ａ、５１０ｂ、５１０ｃ、５２０、５３０の任意の１つまたは複数が、基板に取り付けられるか、または、基板によって支持されることができるため、共通基板と呼ばれてもよい。
【００６３】
導電体５４０は、電力Ｖ＋およびＶ−を受け取り、種々のディスプレイ５１０、５２０、５３０に分配し、同様に、アドレス指定信号ＳＩＧＮＡＬをディスプレイ５１０、５２０、５３０に伝達する。導電体５４０は、ディスプレイ５１０、５２０、５３０のそれぞれのための種々の分岐を有する３つの平行導体のセットを含む。例の機構では、Ｖ＋、Ｖ−、およびＳＩＧＮＡＬは、ディスプレイ５００の底部縁に近接して配設される３つの平行導体のセット５４２に印加され、３つの平行導体のセット５４２から、Ｖ＋、Ｖ−、およびＳＩＧＮＡＬが、それぞれ、３つの平行導体のセット５４４ａ、５４４ｂ、５４４ｃを介してディスプレイ５１０ａ、５１０ｂ、５１０ｃに、また、３つの平行導体のセット５４６を介してディスプレイ５２０に、また、３つの平行導体のセット５４８を介してディスプレイ５３０に印加される。
【００６４】
導電体５４０および導電体の分岐５４２、５４４、５４６、５４８は、布基板５５０に編まれてもよく、または、その他の方法で布基板５５０に取り付けられてもよく、たとえば、縫いつけられる、かつ／または、粘着的に取り付けられる、かつ／または、熱的に溶着されてもよい。導電体５４０および導電体の分岐５４２、５４４、５４６、５４８は、ディスプレイ５１０、５２０、５３０に、電力Ｖ＋、Ｖ−、およびアドレス指定信号ＳＩＧＮＡＬを印加するために、たとえば、はんだによって、かつ／または、導電性接着剤によって、かつ／または、たて糸とよこ糸の導電性糸が互いに交差する物理的接触によって、ディスプレイ５１０、５２０、５３０のそれぞれの、導電体２４０、２４２、２４４にそれぞれ接続される３つの導体を含む。たとえば、分岐５４４ｂが分岐５４４に接続し、また、分岐５４４、５４４ｃ、および５４６が分岐５４２に接続する、導電性糸の絶縁されたクロスオーバは、こうしたクロスオーバの領域において絶縁を提供するために編み込まれた絶縁性糸によって提供されてもよい。
【００６５】
本明細書で述べるディスプレイ１０、２００、５００は、看板または他のディスプレイ・アプリケーションに適しており、編布式製品または布は、任意の織物がそうであるように、可撓性があり、かつ、適合性がある、すなわち、ゆとりとドレープを示すため、不規則な形状の支持体または物体に適合することができる。さらに、こうしたディスプレイは、格納および／または出荷のために、折り畳まれる、巻かれる、または、その他の方法でサイズを小さくされてもよい。ディスプレイ１０機構は、最新の高速プログラム可能織機を含む織機上での作製に適するため、電子標識および他のディスプレイが、比較的大量に、かつ、比較的低コストで作られることができる。
【００６６】
さらに、本明細書で述べるアドレス指定可能な機構は、編布式ディスプレイ／布ディスプレイが、比較的長い長さで製造され、その後、所望の長さ、および／または、所望のサイズに切断され、所望されるように、そのまま利用されるか、縫われるか、または、他の同様のディスプレイと共にその他の方法で組み立てられることを可能にする。さらに、述べたディスプレイは、たとえば、ラップトップ・コンピュータを使用して、アドレス指定可能である、かつ／または、プログラム可能であるため、ユーザが表示したいと思う、静的な、または、周期的に変わるメッセージを表示するのに適する。さらに、アドレス指定は、ディスプレイまたはディスプレイの素子が作製された後にプログラムされてもよいため、作製された編布式ディスプレイ素子は、特定のディスプレイまたは使用に委ねられるまで、交換可能であってよく、それによって、こうしたディスプレイについての、種々のレベルの顧客要求を満たすために望まれる相対的な在庫レベルを減らすことができる。
【００６７】
図６Ａ、６Ｂ、および６Ｃは、図１〜５の例のディスプレイ１０、２００、５００と共に使用するのに適したアドレス指定プロトコルを提供する例の方法７００、７００’、７００”の略図であり、以下の節で、一般的に、かつ、具体的に述べられる。
【００６８】
直列アドレス指定プロトコルは、機能性糸ＦＹおよび／またはキャラクタ１０、５１２、５２２、５３２およびキャラクタ・データ・ビットのうちの特定のものに関連して指定される、少なくともアドレスまたは識別子ＩＤビットを含む。
【００６９】
通常、アドレス指定が、以下の表１のようである場合、約５００キャラクタまでのディスプレイについて、キャラクタ・ブロックを画定するのに９ビットで十分であり、９つの列の各列グループＣＧ、ＣＬを指定するのに４ビットで十分であり、キャラクタ・データを指定するのに７ビットで十分である。そのため、こうしたアドレス指定は、９つの列のそれぞれについて、２０ビットを必要とするか、または、キャラクタ当たり１８０ビットを必要とする。同様に通常、アドレス指定が、以下の表２のようである場合、約５００キャラクタまでのディスプレイについて、キャラクタ・ブロックを画定するのに９ビットで十分であり、キャラクタ・データを指定するのに６ビットで十分である。そのため、この方式のアドレス指定は、キャラクタ当たり１５ビットのみを必要とする。
【００７０】
さらに、上述のキャラクタ識別子およびデータ・ビットは、同期ビットが先行してもよく、また、特定のタイプのアドレス指定可能な電子デバイスが選択される場合、必要に応じて、または、所望に応じて、パリティまたは他のエラー・チェック・ビット、およびビットのデータ終了(end-of-data)シーケンス・シリーズを伴ってもよい。
【００７１】
アドレス指定プロトコル・ワードは、好ましくは、１つまたは複数のセグメント、たとえば、特定の機能性糸ＦＹのＬＥＤおよび／またはオンか、オフされる列を画定するＡＬＤ回路Ｕ１／Ｕ２／Ｕ３およびキャラクタ・データについての少なくともアドレスを含む。ＬＥＤが部分的にオンされる場合、アドレス指定プロトコル・ワードはまた、各ＬＥＤセグメントについてのレベル（たとえば、パーセント・オン）を指示するデータ・キャラクタを含む。さらに、アドレス指定プロトコル・ワードはまた、好ましくは、エラー・チェック・ビットおよび／またはエラー訂正ビットを含み、同様に、同期ビットおよび／またはワード開始を指示するビットおよび／またはワード終了を指示するビットを含んでもよい。アドレス指定プロトコル・ワードは、通常、アドレス指定導体ＳＩＧＮＡＬ上で、アドレス指定導体の電気特性に一致するレートで直列に送信される。複数の直列および／または並列アドレス指定導体を使用することによって、より高速のアドレス指定が提供されてもよい。
【００７２】
各ＡＬＤ  Ｕ１／Ｕ２／Ｕ３は、各アドレス指定プロトコル・データ・ワードのアドレス・データまたは識別子ＩＤを、それ自身のアドレスまたは識別子ＩＤと比較し、一致が見出される場合、伴うキャラクタ・データ・ストリームをその内部電流駆動回路要素に渡す。直列アドレス指定データ・ワードが、ＡＬＤ  Ｕ１／Ｕ２／Ｕ３のアドレスまたはＩＤを含む場合、そのＡＬＤは、キャラクタ・データをその記憶レジスタにラッチし、適切な電気信号をその電流駆動回路要素に印加して、キャラクタ・データ・ワードに従って駆動されるセグメントのＬＥＤに適切な電流を印加する。この駆動状況は、ＡＬＤ  Ｕ１／Ｕ２／Ｕ３のアドレスまたは識別子ＩＤを含む後続のアドレス指定信号を介して、異なる電流駆動命令が受け取られるまで維持される。述べる例の実施形態では、電流駆動信号は、７セグメントＬＥＤドライバ機構に適する。
【００７３】
機能性糸ＦＹ上に配設された各ＡＬＤ集積回路のアドレスまたは識別子ＩＤは、たとえば、製造中に、かつ／または、試験中に、特定の機能性糸ＦＹに関連付けられるか、または、取り付けられる前に、プログラムされるか、または、その他の方法でＡＬＤ集積回路に関連付けられてもよい。こうした場合、各機能性糸ＦＹのアドレスまたは識別子ＩＤは、機能性糸ＦＹが電気部品および電子部品を搭載された後に、たとえば、それぞれの完成した機能性糸ＦＹについて、おそらく決定されるであろう。機能性糸ＦＹが、ディスプレイに組み込まれる、たとえば、編まれて、ディスプレイ１０、２００、５００を備える編布式製品になる時、各機能性糸ＦＹのアドレスまたは識別子ＩＤは、たとえば、ラップトップ・コンピュータまたは他のコンピュータから、ディスプレイ１０、２００、５００によって表示されるメッセージを制御することになるディスプレイ・ドライバ・ソフトウェアに提供されてもよく、または、ディスプレイ・ドライバ・ソフトウェアによって取得されてもよい。ディスプレイ・ドライバ・ソフトウェアは、その後、各機能性糸に関連するアドレスを分類する、かつ／または、アドレスを編成して、ディスプレイを備えるキャラクタにし、また、機能性糸の列グループにする。
【００７４】
図６Ａに示す方法７００の例では、各機能性糸ＦＹのＡＬＤ回路Ｕ１／Ｕ２／Ｕ３のそれぞれのアドレスは、機能性糸ＦＹが、編み作業のために設けられる７０２時に前もって決められているが、アドレスの値は、たとえば、編む時には知られていない。機能性糸ＦＹは、述べた、所望のキャラクタ・ディスプレイ１０、２００、５００機構を提供するために、所定のタイプの機能性糸ＦＹの正しいシーケンスで編まれて７０４、編布式製品になる。編み作業の終了時点で、ディスプレイのキャラクタ（複数可）内の機能性糸ＦＹのアドレスは、知られていないままである。
【００７５】
編み作業後に、各機能性糸のアドレスが決定され７０６、編布式製品の機能性糸ＦＹの物理的位置に関連したアドレスの値が記憶される７０６。通常、こうした決定７０６は、全ての可能なアドレスおよび／または全ての機能性糸ＦＹが試験されるまで、各機能性糸ＦＹを調べることによって、たとえば、可能なアドレスのシーケンスを適用し、コマンドに応じてセグメントの１つまたは複数を点灯することによって、どの機能性糸ＦＹが、それぞれの特定のアドレスに応答するかを観測するか、または、測定することによって行われてもよい。ディスプレイ１０、２００、５００、５１０、５２０、５３０の各キャラクタ内の機能性糸ＦＹのアドレスおよび物理的ロケーションまたは順序のリストまたはテーブルは、編集され、ラップトップ・コンピュータなどのプログラミング・デバイスに記憶され７０６、表示されるメッセージを構成するのに利用されることになる。キャラクタは、その後、キャラクタが表示されるように命じられることに応答して適切なＦＹアドレスを生成するために、記憶されたアドレスのテーブルを使用して、適切なアドレスを生成する７０８ことによって表示されてもよい。
【００７６】
方法７００のこの態様は、予備編み作業工程の複雑さを実質的に緩和するが、比較的難しく、かつ／または、複雑な編み作業後工程を必要とする傾向がある。全てのディスプレイのアドレス指定は、任意の他のディスプレイのアドレス指定と実質的に異なる可能性があるため、任意のディスプレイを動作させるためにアドレスを生成するソフトウェアは、その特定のディスプレイについての全ての機能性糸ＦＹのアドレスおよび位置または順序を含む特定のリストまたはテーブルを必要とすることになる。
【００７７】
図６Ｂに示す方法７００’の例では、各機能性糸ＦＹのＡＬＤ回路Ｕ１／Ｕ２／Ｕ３のそれぞれのアドレスは、前もって決められており、機能性糸ＦＹが編み作業のために設けられる７０２時には知られている。機能性糸ＦＹは、述べた、所望のキャラクタ・ディスプレイ１０、２００、５００機構を提供するために、所定のタイプの機能性糸ＦＹの正しいシーケンスで編まれて７０４、編布式製品になる。編み作業中、機能性糸が編まれて７０４、編布式製品になるにつれて、各機能性糸のアドレスが記録される７０６’。その後、編み作業の終了時点で、各機能性糸ＦＹのアドレスおよびディスプレイのキャラクタ（複数可）の位置または順序が知られる。これは、たとえば、機能性糸ＦＹが、知られているアドレス（順次であるか、または、任意の所定の順序であってもよく、そうでなくてもよい）のシーケンスで設けられる場合、各機能性糸のアドレスをコンピュータ化して読み取り、追跡することによって達成されてもよいし、または、機能性糸が編まれる前か、または、編まれている時に各機能性糸ＦＹを電気的に調べることによって達成されてもよい。
【００７８】
編み作業の終了時点で、各機能性糸のアドレスおよびキャラクタおよびディスプレイの位置または順序が、知られており、たとえば、プログラミング・デバイスにおいて、たとえば、リストまたはテーブルに記録された７０６’。ラップトップ・コンピュータなどのプログラミング・デバイスに記憶された７０６’、ディスプレイ１０、２００、５００、５１０、５２０、５３０の各キャラクタ内の機能性糸ＦＹのアドレスおよび物理的ロケーションのリストまたはテーブルは、表示されるメッセージを構成するのに利用されることになる。キャラクタは、その後、キャラクタが表示されるように命じられることに応答して適切なＦＹアドレスを生成するために、記憶されたアドレスのテーブルを使用して、適切なアドレスを生成する７０８ことによって表示されてもよい。
【００７９】
方法７００’のこの態様は、予備編み作業工程において実質的により複雑であるが、編み作業後工程において比較的容易になる傾向がある。全てのディスプレイのアドレス指定は、任意の他のディスプレイのアドレス指定と実質的に異なる可能性があるため、任意のディスプレイを動作させるためにアドレスを生成するソフトウェアは、その特定のディスプレイについての全ての機能性糸ＦＹのアドレスおよび位置または順序を含む特定のリストまたはテーブルを必要とすることになる。
【００８０】
あるいは、各ＡＬＤ集積回路のアドレスまたは識別子ＩＤは、ＡＬＤ  Ｕ１／Ｕ２／Ｕ３が組み立てられて機能性糸ＦＹにされ、機能性糸ＦＹが、編まれて布または編布式製品になった後にプログラムされることが望ましい場合がある。こうしたプログラム可能性は、ある数の接続部を接続する（短絡する）か、または、オープンにすることによって可能にされてもよい。たとえば、機能性糸ＦＹが、編まれて、ディスプレイを備える編布式製品になった後に切断するか、その他の方法でオープン回路にすることができるある数のグラウンド接続部および／または可融性リンクが設けられてもよい。こうした接続部は、スクライブまたは他の機械的手段によって、レーザによって、電流によって、または、別の知られている方法によって切断されてもよい。
【００８１】
この機構の利点は、特定の列グループＣＬの機能性糸が、常に同じように駆動されることになるため、同じアドレスまたは識別子ＩＤを与えることができることである。ディスプレイ１０、２００、５００のキャラクタの数が５００以下で、かつ、キャラクタ当たりの列グループＣＬの数が９以下である場合、アドレスまたは識別子は、１４以下のビットを必要とするであろう。
【００８２】
図６Ｃに示す方法７００”の例では、各機能性糸ＦＹのＡＬＤ回路Ｕ１／Ｕ２／Ｕ３のそれぞれのアドレスは、機能性糸ＦＹが、編み作業のために設けられる７０２時に知られていないが、アドレスの値は、たとえば、任意所望の時に、プログラム可能である。機能性糸ＦＹは、述べた、所望のキャラクタ・ディスプレイ１０、２００、５００機構を提供するために、所定のタイプの機能性糸ＦＹの正しいシーケンスで編まれて７０４、編布式製品になる。編み作業の終了時点で、ディスプレイのキャラクタ（複数可）内の機能性糸ＦＹのアドレスは、プログラムされる状態のままである。
【００８３】
編み作業後に、たとえば、編布式製品１０、２００、５００の機能性糸ＦＹの物理的位置または順序に対して既知の関係にあるアドレスの値の所定のリストまたはテーブルから、標準化されたシーケンスまたは順序で好ましくはプログラムされる７０６”。通常、こうしたプログラミングは本明細書に述べる手段によってもよい。ディスプレイ１０、２００、５００、５１０、５２０、５３０の各キャラクタ内の機能性糸ＦＹのアドレスおよび物理的ロケーションまたは順序のリストまたはテーブルは、ラップトップ・コンピュータであってよいプログラミング・デバイスに記憶され７０６、表示されるメッセージを構成するのに利用されることにもなる。キャラクタは、その後、キャラクタが表示されるように命じられることに応答して適切なＦＹアドレスを生成するために、アドレスの所定のリストおよびテーブルを使用して、適切なアドレスを生成する７０８ことによって表示されてもよい。
【００８４】
方法７００”のこの態様の利点は、方法７００”が、予備編み作業工程の複雑さを実質的に緩和し、編み作業後工程においてある程度難しいだけであることである。さらなる利点は、アドレスのリストまたはテーブルが標準化され、各ディスプレイにプログラムされるため、全てのディスプレイは、実質的に同じであり、標準化されたアドレス・リストまたはテーブルを有する任意のプログラミング・デバイスによって動作することができ、それによって、ディスプレイ１０、２００、５００が標準化され、比較的容易な互換性が可能になる。
【００８５】
上述した機構のそれぞれの結果として、編布式製品１０、２００、５１０、５２０、５３０の各機能性糸ＦＹのアドレスは、編布式製品の各機能性糸ＦＹの位置または順序に関して知られているため、ディスプレイ１０、２００、５００、５１０、５２０、５３０をアドレス指定するためのアドレス指定信号を生成するのに使用されてもよい。
【００８６】
アドレス指定機構は、いくつかの形態のうちの任意の形態をとることができる。単一キャラクタ・ディスプレイ１０、５１２、５２２、５３２についての典型的なキャラクタ・データ・コマンドのセットを示す表１であって、機能性糸ＦＹがその中に画定される各列グループ（「ＣＧ＿」）および機能性糸ＦＹに関連するデータ値（「ｄａｔａ＿」）を指定することによって第１キャラクタ（「ｃｈａｒ１」）を表示する表１を考える。
【００８７】
【表１】
2007508572.tif 000003
【００８８】
９列キャラクタ・フォーマットの場合、表１の上記例と同様に、各列ＣＧ、ＣＬが独立にアドレス指定されるため、文字「Ａ」または任意の他のキャラクタを表示するために駆動される、９列ＣＧ、ＣＬのそれぞれについてのセグメントＲＷを指定するのに、９つの別個のコマンドが必要とされる。この機構は、列グループＣＧ、ＣＬを指定するために、アドレス指定ワードのアドレス／識別子ＩＤに、ビット、たとえば、２または３ビットを付加する場合がある。この機構は、制御信号を伝達するために、比較的多くの数のデータ・ビットが、種々の機能性糸に伝達されることを必要とするが、そのために必要とされるデータ・レートは、通常、静的な、または、比較的ゆっくり変わるメッセージ、たとえば、スクロールするメッセージについては達成可能である。
【００８９】
各機能性糸ＦＹが、キャラクタ呼称（たとえば、文字「Ａ」に相当する呼称「３２」または数値「５」に相当するデータ値）を、適切な行ＲＷと列ＣＬデータを含むセグメント呼称に変換する変換データが記憶されるメモリ素子、たとえば、ＲＯＭ、ＰＲＯＭ、ＥＥＰＲＯＭを含む場合、アドレス指定信号は、さらに簡略化することができる。メモリ素子は、ＡＬＤ  Ｕ１／Ｕ２／Ｕ３に含まれてもよく、または、そこから物理的に離れていてもよい。表示されるキャラクタを画定するために、機能性糸ＦＹに伝達されるデータ・ビット数は、比較的小さいため、この機構は、比較的速く変わるメッセージ、ならびに、静的な、または、比較的ゆっくり変わるメッセージ、たとえば、スクロールするメッセージに適する場合がある。
【００９０】
単一キャラクタ・ディスプレイ１０、５１２、５２２、５３２についての典型的なキャラクタ・データ・コマンドのセットを示す表２であって、キャラクタ・ディスプレイの機能性糸ＦＹが表示することになるキャラクタ（文字「Ａ」）を指定することによって、機能性糸ＦＹに関連するデータ値（「ｄａｔａ＿」）によって画定される、第１キャラクタ（「ｃｈａｒ１」）を表示する表２を考える。
【００９１】
【表２】
2007508572.tif 000004
【００９２】
ＲＯＭは、文字「Ａ」を表示するために駆動される、列グループＣＧ、ＣＬおよびそのセグメントＲＷを画定するために、データ値（「ｄａｔａ３２」）を復号するため、各文字またはブロックは、独立にアドレス指定され、それによって、列ＣＬ、ＣＧの数に関連する倍率だけコマンド数が減る。さらに、また、有利には、この機構は、各アプリケーションについてソフトウェアを修正するか、または、カスタマイズする必要無しで、任意のディスプレイ１０、２００、５００をアドレス指定するための単一ソフトウェア・インタフェースを可能にする。
【００９３】
１つの例のアドレス指定機構では、タイプＤＳ２４０６アドレス指定可能スイッチＵ２は、機能性糸ＦＹ上に配設され、タイプＤＳ９０９７シリアル・ポート・アダプタは、アドレス指定および制御信号をＳＩＧＮＡＬ導体に印加するのに使用される。これらのデバイスは、Maxim Integrated Productsから入手可能であり、ＢＡＳＩＣまたはＣプログラミング言語を使用して、Ｗｉｎｄｏｗｓ（登録商標）ベース・コンピュータ、たとえば、ラップトップ・コンピュータから、ディスプレイ１０を動作させるのに必要とされる必要なデジタル信号およびプロトコルを提供する、同様に、Maxim Integrated Productsから入手可能であるドライバ・ソフトウェアと共に利用されてもよい。
【００９４】
ディスプレイ１０、２００、５１２、５２２、５３２の編み作業の前か、編み作業中のいずれかで、ＡＬＤのアドレスまたは識別子ＩＤが、ＡＬＤ  Ｕ１／Ｕ２に記憶される場合、各機能性糸ＦＹのアドレスまたは識別子ＩＤは、シーケンスで知られており、そのデータベースは、ディスプレイ１０、２００、５１２、５２２、５３２が編まれる時に作られてもよい。アドレスまたは識別子ＩＤが、たとえば、編み作業中に、所定のシーケンスに従って割り当てられる場合、そのデータベースは、各ディスプレイ１０、５１２、５２２、５３２について同じであってよく、各ディスプレイ１０、５１２、５２２、５３２に固有のデータベースについての必要性を回避することができる。各機能性糸ＦＹのアドレスまたは識別子ＩＤが、編み作業前に割り当てられる場合、そのデータベースは、ディスプレイ１０、５１２、５２２、５３２が編まれる時に作られてもよいが、各ディスプレイ１０、５１２、５２２、５３２についてのデータベースは、そのディスプレイに固有であることになる。
【００９５】
ＡＬＤのアドレスまたは識別子ＩＤが、ディスプレイ１０、２００、５１２、５２２、５３２の編み作業の前にＡＬＤ  Ｕ１／Ｕ２に記憶されるが、編み作業中に、追跡されないか、または、制御されない場合、各機能性糸ＦＹのアドレスまたは識別子ＩＤは、機能性糸ＦＹをポーリングすることによって、編み作業後に決定され、アドレスまたは識別子ＩＤのデータベースが、ディスプレイ１０、５１２、５２２、５３２について作られてもよい。編布式ディスプレイ１０、５１２、５２２、５３２内に存在する機能性糸ＦＹのＡＬＤデバイスＵ１／Ｕ２のアドレスまたは識別子ＩＤを判定するためのポーリングに続いて、それぞれの存在する機能性糸ＦＹは、その上の素子を駆動するためにアドレス指定され、駆動される素子は、検出器またはセンサによって、手動か自動のいずれかで検出され、編布式製品１０、２００、５１２、５２２、５３２内の各機能性糸ＦＹの位置または順序が、機能性糸ＦＹのアドレスまたは識別子ＩＤに関連してデータベースに記録される(note)。位置または順序の記録または検出は、ポーリングと同時に実施されてもよく、または、ポーリングの後で実施されてもよい。
【００９６】
上述したアドレス指定機構は、同じか、または、異なる場合がある、各キャラクタのサイズおよび／または形状に関わらず、多数のキャラクタをアドレス指定することが留意される。これは、全てのキャラクタ・ディスプレイ１０、５１２、５２２、５３２が、たとえ、セグメントのサイズおよび／または機構が非常に異なっても、外部電気インタフェースにおいて電気的に同じであることができるからである。そのため、サイズおよび機構の任意の組み合わせの、少数の、または、多数のキャラクタの任意のディスプレイまたは標識１０、２００、５００について、アドレス指定が同じである点で、利点が生じ、それによって、メッセージのプログラミング、プログラミング用ソフトウェア、およびアドレス指定インタフェースが簡略化される。種々のキャラクタ１０、２００、５１２、５２２、５３２が、電気的に並列に接続され、直列アドレス指定機構ＳＩＧＮＡＬを介して独立にアドレス指定されることができるため、本機構は、ディスプレイ１０、２００、５００において、大幅に異なるスタイル、サイズ、長さ、および他の変形に対処することができる。
【００９７】
述べる直列アドレス指定機構は、ある範囲のサイズにわたる任意のサイズの静的ディスプレイに好適である、すなわち、ディスプレイは、直列アドレス指定機構が、キャラクタのサイズまたは数または位置に関係なく同じである点で「スケーラブル」であることが留意される。そのため、各キャラクタのサイズおよびキャラクタの数に関わらず、同じ直列アドレス指定機構が適する。キャラクタ・ディスプレイが、比較的小さくても（たとえば、約５ｃｍ×１０ｃｍ）、比較的大きくても（たとえば、約５０ｃｍ×１００ｃｍ）、種々のサイズのキャラクタを含んでも、また、ディスプレイが、同じサイズか、または、異なるサイズであってよい１つのキャラクタを含んでも、多くのキャラクタを含んでも、また、それらの任意の組む合わせであっても、同じアドレス指定を利用することができる。
【００９８】
述べる直列アドレス指定機構は、制御信号データ・レートおよび電流搬送要件が、述べた編布式ディスプレイに編まれた導体の数およびサイズならびにその電気特性（たとえば、抵抗および静電容量）に整合する、静的ディスプレイ、および／または、スクロール・メッセージ・ディスプレイなどのゆっくり変わるディスプレイに好適であることも留意される。述べる機構の電流搬送能力の増加は、より大きな断面寸法の導電性糸によって、かつ／または、複数の導電性糸を平行に編むことによって実現することができる。しかし、受動マトリクス・アドレス指定アーキテクチャによって実現される、ビデオ画像提示については、ビデオ・レート・リフレッシュを可能にする通信データ・レートが必要になるであろう。
【００９９】
述べた、新規の電子ディスプレイ・アーキテクチャおよびアドレス指定機構は、双安定で、発光型で、接続が制限された、布ベースの標識または他のディスプレイの全キャラクタベースのプログラム可能性を可能にし、述べる変形形態以外の他の変形形態は、当業者に明らかになるであろう。
【０１００】
本明細書で使用される、「約」という用語は、寸法、サイズ、配合、パラメータ、形状、ならびに、他の量および特性が、正確でない、また、正確である必要がないが、許容誤差、変換係数、丸め、測定誤差、および同様なもの、ならびに、当業者に知られている他の因子を反映して、所望に応じて、近い、かつ／または、より大きいか、または、より小さくてもよいことを意味する。一般に、寸法、サイズ、配合、パラメータ、形状、あるいは、他の量または特性は、特にそうであると述べられても、述べられなくても、「約」または「ほぼ」である。
【０１０１】
本発明は、上述した例の実施形態によって述べられたが、添付特許請求項によって規定される本発明の範囲および精神内にある変形形態は、当業者に明らかになるであろう。たとえば、ディスプレイ１０は、布または織物２００、５００に編まれたストリップまたは機能性糸ＦＹによって述べられたが、ディスプレイ１０は、ストリップまたは機能性糸ＦＹを使用する必要はなく、たとえストリップまたは機能性糸ＦＹを使用しても、ストリップまたは機能性糸ＦＹは、布または織物に編まれる必要はない。例のディスプレイ１０は、２０のストリップまたは機能性糸ＦＹが９列グループで配置されているものとして述べられるが、９つほどの少数のストリップまたは機能性糸ＦＹを使用してもよく、さらに、１つまたは複数の基板上で、ディスプレイの不編布実施形態が設けられてもよい。
【０１０２】
キャラクタ・ディスプレイ１０は、比較的一様なサイズの象限Ｑを画定するために、比較的対称的に矩形で、かつ、二等分されているとして示されるが、ディスプレイ１０は、斜めか、または、傾いてもよく、非対称的に分割されてもよく、異なるサイズおよび割合の象限Ｑを有してもよく、湾曲しているか、真っ直ぐか、または、その組み合わせであるセグメントを有してもよく、その他の方法で、規則正しく、または、不規則であってよい。さらに、「上部」と「底部」および「左」と「右」という呼称ならびに「水平」と「垂直」という呼称は、説明の都合のためであり、任意のディスプレイ１０の向きを制限するものとして意図されない。同様に、行は、水平に配設され、列は垂直に配設されてもよく、または、その間の任意所望の向きで配設されてもよい。
【０１０３】
さらに、ディスプレイは、光源として発光ダイオードを使用するものとして述べられるが、他の適した光源が使用されてもよい。例は、白熱光、ネオン光、エレクトロルミネッセンス・デバイス、光反射素子、光透過素子、および同様なものを含んでもよい。
【０１０４】
ある例および／または実施形態が、キャラクタ・ディスプレイとして参照されたが、それによって表示することができるものは、特にそれに限定しない限り、必ずしもキャラクタに限定されないことが留意される。たとえば、図２、３、および５のキャラクタ・ディスプレイは、全ての光源位置が使用可能である「キャラクタ」を使用してもよいため、こうしたディスプレイは、図示する実施形態の各「キャラクタ」において、たとえば、２０×２２＝４４０素子までの、ある数の独立作動可能素子によって表示することができる、任意のキャラクタおよび／または画像を表示するのに利用されてもよい。同様に、スクロールするメッセージまたは画像あるいは移動画像の満足のいくディスプレイが表示されるように、「キャラクタ」間に任意の間隔が設けられることは必要でない。
【図面の簡単な説明】
【０１０５】
【図１Ａ】５９セグメント・キャラクタ・ディスプレイについての例の機構の略図である。
【図１Ｂ】５９セグメント・キャラクタ・ディスプレイについての例の機構の略図である。
【図２】行と列で配置された光源を含む、図１の５９セグメント・キャラクタ・ディスプレイについての例の機構の略図である。
【図３】光源の行と列を提供するために、光源が上に配置されている機能性糸を含む、セグメント・ディスプレイの少なくともある部分を含む例の編布式製品の実施形態のある部分の略図である。
【図４Ａ】図３に示す糸などの、機能性糸に適する例の回路の左半分の略図である。
【図４Ｂ】図３に示す糸などの、機能性糸に適する例の回路の右半分の略図である。
【図５】キャラクタ・ディスプレイを提供する複数の編布式製品を含む例のディスプレイの略図である。
【図６Ａ】図１〜５の例のディスプレイと共に使用するのに適したアドレス指定プロトコルを提供する例の方法の略図である。
【図６Ｂ】図１〜５の例のディスプレイと共に使用するのに適したアドレス指定プロトコルを提供する例の方法の略図である。
【図６Ｃ】図１〜５の例のディスプレイと共に使用するのに適したアドレス指定プロトコルを提供する例の方法の略図である。
【図１Ａ】
2007508572.tif 000005
【図１Ｂ】
2007508572.tif 000006
【図２】
2007508572.tif 000007
【図３】
2007508572.tif 000008
【図４Ａ】
2007508572.tif 000009
【図４Ｂ】
2007508572.tif 000010
【図５】
2007508572.tif 000011
【図６Ａ】
2007508572.tif 000012
【図６Ｂ】
2007508572.tif 000013
【図６Ｃ】
2007508572.tif 000014
【国際調査報告】
2007508572.tif 000015